(57)【要約】【課題】  操作部材の操作性を損なわずに、衝撃を効率良く緩衝できる電子機器および腕時計を提供する。【解決手段】  腕時計ケース１と、この腕時計ケース１内に配置された時計モジュール６と、腕時計ケース１にその内部から外部に突出して設けられて時計モジュール６を操作する操作部材１５と、この操作部材１５の軸方向に沿う延長線上に位置し、時計モジュール６を腕時計ケース１に対して回転可能な状態で支持する支持部材２０と、を備えている。従って、腕時計ケース１が衝撃を受けた際に、操作部材１５と支持部材２０との各軸線が一致する直線を中心に時計モジュール６を回転させることができる。これにより、操作部材１５の操作性を損なわずに、衝撃を効率良く緩衝することができ、耐衝撃性を向上させることができる。【選択図】        図２
2015025683.tif 000002
【特許請求の範囲】
【請求項１】
ケースと、
このケース内に配置されたモジュールと、
前記ケースにその内部から外部に突出して設けられ、前記モジュールを操作する操作部材と、
前記操作部材の軸方向に沿う延長線上に位置し、前記モジュールを前記ケースに対して回転可能な状態で支持する支持部材と、
を備えていることを特徴とする電子機器。
【請求項２】
請求項１に記載の電子機器において、前記支持部材は、一端部が前記ケースに配置され、他端部が前記モジュール内に挿入されたピン部材を備えていることを特徴とする電子機器。
【請求項３】
請求項２に記載の電子機器において、前記ピン部材は、前記ケースおよび前記モジュールに対して、その内外方向にスライド可能に設けられていることを特徴とする電子機器。
【請求項４】
請求項１〜請求項３のいずれかに記載の電子機器において、前記支持部材は、前記モジュール内から前記ケースの外部に向けて引き出す方向に付勢する付勢部材を備えていることを特徴とする電子機器。
【請求項５】
請求項１〜請求項４のいずれかに記載の電子機器において、前記ケースの裏面に取り付けられた裏蓋を有し、
前記裏蓋は、前記支持部材を前記モジュールの内部に押し込まれていない状態から前記モジュールの内部に向けて押し込む押込み部を備えていることを特徴とする電子機器。
【請求項６】
請求項１〜請求項５のいずれかに記載の電子機器において、前記ケースの裏面に取り付けられた裏蓋と前記ケース内の前記モジュールとの間に配置され、前記モジュールを押えるための押え部材を備え、
前記押え部材には、前記操作部材と前記支持部材とに対応する個所の前記モジュールを押圧する押圧突起部が設けられていることを特徴とする電子機器。
【請求項７】
腕時計ケースと、
この腕時計ケース内に配置された時計モジュールと、
前記腕時計ケースにその内部から外部に突出して設けられ、前記時計モジュールを操作する操作部材と、
前記操作部材の軸方向に沿う延長線上に位置し、前記時計モジュールを前記腕時計ケースに対して回転可能な状態で支持する支持部材と、
を備えていることを特徴とする腕時計。
【発明の詳細な説明】
【技術分野】
【０００１】
この発明は、時計などの電子機器および腕時計に関する。
【背景技術】
【０００２】
例えば、腕時計においては、特許文献１に記載されているように、ケース内に設けられたモジュールを操作する操作部材を、弾性部材によってケースに保持し、このケースとモジュールとの間で位置ずれが生じた際に、弾性部材が弾性変形するように構成されたものが知られている。
【先行技術文献】
【特許文献】
【０００３】
【特許文献１】特開２０１０−２４９７１６号公報
【０００４】
この場合、操作部材は、モジュール内に挿入されてモジュールを操作する巻真と、この巻真の端部に連結されてケースの外部に突出する竜頭である操作頭部と、この操作頭部の軸部が回転可能に挿入される巻真パイプとを有し、この巻真パイプが弾性部材によってケースに弾力的に保持されるように構成されている。
【発明の概要】
【発明が解決しようとする課題】
【０００５】
このような腕時計では、ケースとモジュールとの間で位置ずれが生じた際に、弾性部材を弾性変形させるために、操作部材をケースに対して変位させる必要がある。このため、この腕時計では、ケースにその上下方向にスライドするスライダを設け、このスライダに巻真パイプを取り付けることにより、ケースとモジュールとの間で位置ずれが生じた際に、スライダが巻真パイプと共にスライドして、弾性部材を弾性変形させるように構成されている。
【０００６】
しかしながら、このような腕時計においては、ケースが衝撃を受けてケースとモジュールとの間で位置ずれが生じた際に、巻真に大きな負荷が加わらないように緩衝することができても、操作部材が弾性部材およびスライダによって変位可能に保持されているため、巻真を操作する際に、操作部材が上下方向に変位し易く、操作部材の操作性が悪いという問題がある。
【０００７】
この発明が解決しようとする課題は、操作部材の操作性を損なわずに、衝撃を良好に緩衝することができる電子機器および腕時計を提供することである。
【課題を解決するための手段】
【０００８】
この発明は、ケースと、このケース内に配置されたモジュールと、前記ケースにその内部から外部に突出して設けられ、前記モジュールを操作する操作部材と、前記操作部材の軸方向に沿う延長線上に位置し、前記モジュールを前記ケースに対して回転可能な状態で支持する支持部材と、を備えていることを特徴とする電子機器である。
【発明の効果】
【０００９】
この発明によれば、操作部材と支持部材との各軸線を一致させることができるので、ケースが衝撃を受けた際に、操作部材と支持部材との各軸線が一致した直線を中心にモジュールを回転させることができ、これにより衝撃を効率良く緩衝することができる。このため、操作部材の操作性を損なわずに、衝撃を良好に緩衝して耐衝撃性を向上させることができる。
【図面の簡単な説明】
【００１０】
【図１】この発明を指針式の腕時計に適用した一実施形態を示した拡大正面図である。
【図２】図１に示された腕時計のＡ−Ａ矢視における拡大断面図である。
【図３】図１に示された腕時計のＢ−Ｂ矢視における拡大断面図である。
【図４】図２に示された腕時計の支持部材を示した拡大側面図である。
【図５】図２に示された腕時計の押え部材を示し、（ａ）はその拡大正面図、（ｂ）はその拡大側面図、（ｃ）はその拡大裏面図である。
【発明を実施するための形態】
【００１１】
以下、図１〜図５を参照して、この発明を指針式の腕時計に適用した一実施形態について説明する。
この腕時計は、図１〜図３に示すように、腕時計ケース１を備えている。この腕時計ケース１は、ケース本体２とベゼル３とを有している。ケース本体２は、硬質の合成樹脂に金属製の補強部材２ａをインサート成型によって一体に形成された構成になっている。ベゼル３は、ウレタンなどの軟質の合成樹脂からなり、ケース本体２の外周面に取り付けられるように構成されている。
【００１２】
この腕時計ケース１の上部開口部、つまりケース本体２の上部開口部には、図２および図３に示すように、時計ガラス４がバッキン４ａを介して取り付けられている。また、この腕時計ケース１の下部、つまりケース本体２の下部には、裏蓋５が防水パッキン５ａを介して取り付けられている。この腕時計ケース１の内部、つまりケース本体２の内部には、時計モジュール６が組み込まれている。
【００１３】
この時計モジュール６は、図２および図３に示すように、その外周に中枠７が配置されている。この中枠７の外周には、ゴムなどの第１緩衝部材８が配置されている。これにより、時計モジュール６は、外周に第１緩衝部材８が設けられた中枠７内に配置された状態で、腕時計ケース１のケース本体２内に組み込まれるように構成されている。
【００１４】
また、この時計モジュール６の上面には、図２および図３に示すように、文字板１０が配置されている。この文字板１０は、その周縁部が腕時計ケース１のケース本体２の内周部に設けられた見切り部材１１によって時計モジュール６上に押えられている。また、時計モジュール６の下面には、ゴムシートなどの第２緩衝部材１２を介して押え部材１３が配置されている。この押え部材１３は、裏蓋５によって下側から押えられている。
【００１５】
さらに、この時計モジュール６は、図２および図３に示すように、指針１４を運針するための時計ムーブメント、およびこの時計ムーブメントを駆動するための回路基板（いずれも図示せず）などの時計機能に必要な各種の部品を備えている。この場合、時計ムーブメントは、ステッピングモータの回転を輪列機構によって指針軸１４ａに伝達して、この指針軸１４ａを回転させることにより、この指針軸１４ａに取り付けられた指針１４を文字板１０の上方で運針させるように構成されている。
【００１６】
ところで、腕時計ケース１の３時側に位置する個所には、図１および図２に示すように、時計モジュール６の時計ムーブメントを操作して時刻修正などのスイッチ操作をするための操作部材１５が設けられている。この操作部材１５は、腕時計ケース１の側壁部にその内外に貫通して設けられた筒状部材１６と、外側端部が筒状部材１６内に配置され、内側端部が時計モジュール６内に挿入されて時計ムーブメントの輪列機構を操作する巻真１７と、この巻真１７の外側端部に連結されて筒状部材１６から腕時計ケース１の外部に突出する操作頭部１８とを有している。
【００１７】
この場合、腕時計ケース１の側壁部には、図２に示すように、その内外に貫通する貫通孔１ａが設けられている。筒状部材１６は、その内端部がケース本体２内に突出し、外端部が腕時計ケース１の外部に突出した状態で、腕時計ケース１の貫通孔１ａ内に防水リング１６ａを介して嵌着されている。操作頭部１８は、筒状部材１６内に挿入する筒状の操作軸１８ａと、筒状部材１６の外端部を覆うキャップ形状の頭部１８ｂとを有している。
【００１８】
すなわち、筒状の操作軸１８ａは、図２に示すように、その外径が筒状部材１６の内径よりも小さく形成されている。この操作軸１８ａは、その外周に防水リング１８ｃを介して筒状部材１６内にスライド可能に挿入されている。また、この操作軸１８ａの内部には、巻真連結部１７ａがスライドおよび回転可能な状態で設けられている。この巻真連結部１７ａは、操作軸１８ａのスライド動作に応じてスライドすると共に、操作軸１８ａの回転動作と共に回転するように構成されている。
【００１９】
この巻真連結部１７ａの内端部には、図２に示すように、巻真１７の外端部が連結されている。これにより、巻真１７は、巻真連結部１７ａのスライド動作に伴ってスライドすると共に、巻真連結部１７ａの回転動作と共に回転するように構成されている。また、頭部１８ｂは、その中心部に操作軸１８ａの外端部が一体に形成されている。この頭部１８ｂは、その内径が筒状部材１６の外径よりも大きく形成されている。
【００２０】
これにより、操作部材１５は、図２に示すように、操作頭部１８が腕時計ケース１に向けて押し込まれた際に、巻真１７および巻真連結部１７ａがニュートラル状態になり、この状態で操作軸１８ａが腕時計ケース１の内部に向けて移動することにより、巻真１７の外端部がばね部材（図示せず）のばね力に抗して操作軸１８ａ内に相対的に押し込まれて、頭部１８ｂが筒状部材１６にロックされるように構成されている。
【００２１】
また、この操作部材１５は、図２において、筒状部材１６に対する操作頭部１８のロックが解除されて、頭部１８ｂがばね部材のばね力によって腕時計ケース１の外部に向けて引き出された際に、巻真１７および巻真連結部１７ａが移動せずにニュートラル状態を維持し、操作軸１８ａが引き出されて、頭部１８ｂが回転可能な状態になるように構成されている。この場合、操作部材１５は、頭部１８ｂが回転して操作軸１８ａおよび巻真連結部１７ａが巻真１７を回転させても、巻真１７がニュートラル状態を維持していることにより、時計ムーブメントが操作されないように構成されている。
【００２２】
さらに、この操作部材１８は、図２において、頭部１８ｂが腕時計ケース１の外部に向けて引き出された状態で、更に頭部１８ｂが操作軸１８ａと共に引き出されると、この操作軸１８ａに伴って巻真連結部１７ａが巻真１７と共に引き出され、この巻真１７による時計ムーブメントの操作が可能な状態になるように構成されている。この場合、操作部材１５は、頭部１８ｂを回転させると、その回転が操作軸１８ａおよび巻真連結部１７ａを介して巻真１７に伝達され、この巻真１７の回転に応じて時計ムーブメントの輪列機構が操作され、時刻修正などのスイッチ操作が行われるように構成されている。
【００２３】
一方、腕時計ケース１の９時側に位置する個所には、図２に示すように、時計モジュール６を腕時計ケース１に対して回転可能な状態で、操作部材１５と共に支持する支持部材２０が設けられている。この支持部材２０は、図２および図４に示すように、操作部材１５の軸方向に沿う延長線、つまり巻真１７の軸線の延長線上に位置するピン部材２１と、このピン部材２１を時計モジュール６内から引き出す方向に向けて付勢するばね部材２２とを備えている。
【００２４】
ピン部材２１は、図２および図４に示すように、剛性の高い金属からなるほぼ丸棒状に形成されている。このピン部材２１は、その外端部が腕時計ケース１のケース本体２に配置され、内端部が時計モジュール６内に挿入されるように構成されている。また、このピン部材２１は、その中間部の外周に防水リング２３がスライド可能な状態で圧接して取り付けられている。
【００２５】
この場合、腕時計ケース１のケース本体２には、図２に示すように、ピン部材２１の防水リング２３が挿入する大径孔部およびピン部材２１の内端部が挿入する小径孔部を有する段差状のピン挿入孔２４が、操作部材１５の巻真１７における軸線の延長線上に位置して設けられている。また、時計モジュール６には、ピン部材２１の内端部が挿入する小径孔２５が、操作部材１５の巻真１７における軸線の延長線上に位置して設けられている。
【００２６】
これにより、ピン部材２１は、図２に示すように、ケース本体２のピン挿入孔２４に外側から挿入されて、防水リング２３がピン挿入孔２４の大径孔部内に配置されると共に、防水リング２３の内端部がピン挿入孔２４の小径孔部の段差部に当接し、この状態で防水リング２３の外周面がピン挿入孔２４の大径孔部における内周面に圧接して防水性を図るように構成されている。
【００２７】
また、このピン部材２１は、図２および図４に示すように、防水リング２３がケース本体２のピン挿入孔２４の大径孔部内に配置された状態で、ピン部材２１の内端部がピン挿入孔２４の小径孔部を通して、時計モジュール６内の小径孔２５にスライド可能に挿入するように構成されている。
【００２８】
これにより、ピン部材２１は、図２に示すように、操作部材１５の巻真１７における軸線の延長線上に位置した状態で、ケース本体２と時計モジュール６との両方に跨った状態で、腕時計ケース１の内外に向けてスライド可能に取り付けられるように構成されている。このため、時計モジュール６は、操作部材１５の巻真１７と支持部材２０のピン部材２１との各軸線が一致する直線を中心に、上下方向に回転動作（つまり揺動動作）するように構成されている。
【００２９】
一方、ばね部材２２は、図２および図４に示すように、コイルばねであり、ピン部材２１の外端部側に位置する外周に配置されている。また、このばね部材２２は、その内端部がピン部材２１の防水リング２３に弾接した状態で、外端部がピン部材２１の外端面に設けられた取付片２２ａに取り付けられている。この場合、取付片２２ａは、その外径がケース本体２のピン挿入孔２４の大径孔部の内径よりも大きく形成されている。
【００３０】
これにより、ばね部材２２は、図２に示すように、ケース本体２のピン挿入孔２４の大径孔部内に防水リング２３と共に配置され、この状態で内端部がピン部材２１の防水リング２３をばね力によって押圧するように構成されている。このため、このばね部材２２は、そのばね力によって防水リング２３を押圧した際の反発力によって、取付片２２ａを押し出す方向に付勢し、これによりピン部材２１を時計モジュール６内からケース本体２の外部に向けて押し出すように構成されている。
【００３１】
また、このばね部材２２は、図２に示すように、そのばね力に抗してピン部材２１の外端部に設けられた取付片２２ａが、後述する裏蓋５の押込み部２６によって外部から押圧された際に、ピン部材２１がケース本体２内に押し込まれることにより、防水リング２３と押込み部２６との間で圧縮変形するように構成されている。
【００３２】
この場合、裏蓋５の押込み部２６は、図２に示すように、裏蓋５の外周部に起立して形成され、裏蓋５がケース本体２の下面に取り付けられた際に、ケース本体２とベゼル３との間に挿入されて取付片２２ａの外端面に配置されるように構成されている。これにより、押込み部２６は、取付片２２ａをケース本体２の外面に押し付けて、ピン部材２１を腕時計ケース１内に押し込み、ケース本体２のピン挿入孔２４を外部から塞ぐように構成されている。
【００３３】
すなわち、この押込み部２６は、図２に示すように、ピン部材２１の外端面に設けられた取付片２２ａを押圧しながらガイドする押圧ガイド部２６ａと、ピン部材２１の外端面を押圧して押し込むピン押圧部２６ｂとを有している。押圧ガイド部２６ａは、押込み部２６の上端部からケース本体２の外周面に向けて傾斜する傾斜部に形成され、この傾斜部に沿ってピン部材２１の取付片２２ａを徐々にケース本体２に向けて押し込むように構成されている。
【００３４】
また、ピン押圧部２６ｂは、図２に示すように、押圧ガイド部２６ａの下部に設けられ、裏蓋５がケース本体２の下面に取り付けられた際に、取付片２２ａをケース本体２の外周面に押し付けるように構成されている。これにより、ピン押圧部２６ｂは、ピン部材２１をケース本体２の内部に押し込んだ状態で、取付片２２ａがケース本体２のピン挿入孔２４を塞ぐように構成されている。
【００３５】
ところで、裏蓋５と時計モジュール６との間に配置された押え部材１３は、図５（ａ）〜図５（ｃ）に示すように、円板状に形成されている。この押え部材１３の下面には、図２に示すように、裏蓋５の上面に当接して時計モジュール６を押し上げるための一対の押圧突起部２７が、下側に突出して設けられている。すなわち、これら一対の押圧突起部２７は、操作部材１８の巻真１７および支持部材２０のピン部材２１にそれぞれ対応する個所に設けられている。
【００３６】
これにより、一対の押圧突起部２７は、図２に示すように、裏蓋５がケース本体２の下部に取り付けられた際に、この裏蓋５の上面に当接して押え部材１３を押し上げるように構成されている。すなわち、一対の押圧突起部２７は、押え部材１３を押し上げることにより、第２緩衝部材１２を介して時計モジュール６を押し上げて操作部材１８の巻真１７および支持部材２０のピン部材２１にそれぞれ対応する個所の時計モジュール６を弾力的に押圧するように構成されている。
【００３７】
また、この押え部材１３の下面には、図５（ａ）〜図５（ｃ）に示すように、複数の補助突起部２８が一対の押圧突起部２７から離れた位置に設けられている。すなわち、これら複数の補助突起部２８は、操作部材１８の巻真１７および支持部材２０のピン部材２１にそれぞれ対応する個所以外に位置する個所における押え部材１３の下面にそれぞれ設けられている。
【００３８】
また、これら複数の補助突起部２８は、図５（ｂ）に示すように、押え部材１３の下面から突出する長さが、一対の押圧突起部２７の突出長さよりも短く形成されている。このため、複数の補助突起部２８は、図２、図３および図５に示すように、ケース本体２の下部に取り付けられた裏蓋５の上面に一対の押圧突起部２７が当接して押え部材１３を押し上げて変形させた際に、裏蓋５の上面に当接するように構成されている。
【００３９】
これにより、複数の補助突起部２８は、図３に示すように、裏蓋５の上面に当接した際に、押え部材１３を補助的に押し上げるように構成されている。すなわち、複数の補助突起部２８は、押え部材１３を補助的に押し上げることにより、第２緩衝部材１２を介して操作部材１８の巻真１７および支持部材２０のピン部材２１にそれぞれ対応する個所以外に位置する個所の時計モジュール６を弾力的に押し上げるように構成されている。
【００４０】
次に、このような腕時計の作用について説明する。
この腕時計を組み立てる場合には、まず、腕時計ケース１の上部開口部に時計ガラス４をパッキン４ａを介して取り付ける。この状態で、腕時計ケース１内に見切り部材１１を下側から挿入して取り付けると共に、腕時計ケース１の貫通孔１ａ内に筒状部材１６を外部から嵌め込んで取り付ける。
【００４１】
そして、腕時計ケース１内に時計モジュール６を組み込む。このときには、予め、時計モジュール６を中枠７内に嵌め込み、この中枠７の外周にゴムなどの第１緩衝部材８を取り付ける。また、時計モジュール６上に文字板１０を配置すると共に、操作部材１５の巻真１７を時計モジュール６内に差し込み、この差し込んだ巻真１７の先端部を時計ムーブメントに連結させる。
【００４２】
この状態で、時計モジュール６を腕時計ケース１内に下側から挿入しながら、巻真１７の外端部を腕時計ケース１に設けられた筒状部材１６内に腕時計ケース１の内部側から挿入させて配置する。これにより、図２に示すように、腕時計ケース１内に時計モジュール６が組み込まれる。
【００４３】
この後、操作部材１５および支持部材２０を組み付ける。このときには、まず、操作部材１５の巻真連結部１７ａを腕時計ケース１の外部から筒状部材１６に挿入させて、巻真１７の外端部に取り付ける。この状態で、操作部材１５の操作頭部１８の操作軸１８ａを筒状部材１６に挿入させて巻真連結部１７ａの外端部に連結させる。
【００４４】
これにより、図２に示すように、操作頭部１８の頭部１８ｂが腕時計ケース１の外部に突出した状態で、操作部材１５が組み付けられる。この状態では、操作頭部１８の頭部１８ｂを引き出して回転操作すると、その回転が操作軸１８ａおよび巻真連結部１７ａによって巻真１７に伝達され、この巻真１７の回転に応じて時計ムーブメントが操作されて時刻修正などのスイッチ操作が行わる。
【００４５】
一方、支持部材２０を組み付ける場合には、予め、ピン部材２１に防水リング２３を取り付けると共に、このピン部材２１の外端側の外周面にばね部材２２を配置してピン部材２１の外端部に取付片２２ａを取り付ける。この状態で、ピン部材２１を腕時計ケース１および時計モジュール６に組み付ける。
【００４６】
このときには、ピン部材２１を腕時計ケース１の外部からケース本体２のピン挿入孔２４内に挿入させて、ピン挿入孔２４の大径孔部内に防水リング２３およびばね部材２２を配置させると共に、ピン部材２１の内端部をピン挿入孔２４の小径孔部から時計モジュール６の小径孔２５内に挿入させる。これにより、ピン部材２１がケース本体２と時計モジュール６との両方に跨った状態で配置される。
【００４７】
そして、時計モジュール６の下面に第２緩衝部材１２を介して押え部材１３を配置し、この状態で裏蓋５をケース本体２の下部に取り付ける。このときには、押え部材１３の下面に設けられた一対の押圧突起部２７を操作部材１５の巻真１７および支持部材２０のピン部材２１に対応させ、この状態で押え部材１３を第２緩衝部材１２の下面に配置する。
【００４８】
また、裏蓋５をケース本体２に取り付ける際には、裏蓋５の押込み部２６を支持部材２０のピン部材２１の外端部に対応させて、ケース本体２の下側からケース本体２とベゼル３との間に挿入させる。すると、押込み部２６の上端部に設けられた押圧ガイド部２６ａがピン部材２１の取付片２２ａに当接する。この状態で、裏蓋５がケース本体２の下面に向けて押し上げられると、これに伴って押圧ガイド部２６ａが上方に移動する。
【００４９】
このため、押圧ガイド部２６ａの傾斜部に沿ってピン部材２１の取付片２２ａが徐々にケース本体２の内部側に向けて押される。このときには、防水リング２３がケース本体２のピン挿入孔２４の小径孔部の段差部に当接した状態で、ピン部材２１がケース本体２の内部に向けて押し込まれることにより、ばね部材２２がケース本体２のピン挿入孔２４の大径孔部内において徐々に圧縮される。
【００５０】
そして、押込み部２６が更に押上げられて、ピン部材２１の取付片２２ａが押圧ガイド部２６ａを乗り越えると、ピン押圧部２６ｂがピン部材２１の取付片２２ａに当接する。このときには、ピン押圧部２６ｂによってピン部材２１がばね部材２２のばね力に抗して最も押し込まれて、ピン部材２１の内端部が時計モジュール６の小径孔２５内に最も押し込まれる。
【００５１】
この状態では、ばね部材２２が最も圧縮された状態で、ピン部材２１がケース本体２と時計モジュール６との両方に跨って配置される。これにより、時計モジュール６は、操作部材１５の巻真１７と支持部材２０のピン部材２１との各軸線が一致する直線を中心として、上下方向に回転動作可能な状態、つまり直線を中心に上下方向に揺動動作可能な状態で保持される。
【００５２】
そして、裏蓋５をケース本体２の下部にビスなどによって取り付けると、裏蓋５が押さえ部材１３を押し上げ、この押え部材１３がゴムシートなどの第２緩衝部材１２を介して時計モジュール６を弾力的に押し上げる。これにより、時計モジュール６がケース本体２内に弾力的に保持される。このときには、押え部材１３の下面に設けられた一対の押圧突起部２７が裏蓋５の上面に押し当てられて押え部材１３を押し上げる。
【００５３】
このため、一対の押圧突起部２７に対応する箇所の押え部材１３が第２緩衝部材１２を介して時計モジュール６を押し上げるので、操作部材１８の巻真１７および支持部材２０のピン部材２１にそれぞれ対応する個所の時計モジュール６が弾力的に強く押し上げられる。これにより、時計モジュール６が操作部材１８の巻真１７および支持部材２０のピン部材２１にそれぞれ対応する個所の時計モジュール６がケース本体２内に弾力的に保持される。
【００５４】
また、一対の押圧突起部２７が裏蓋５の上面に当接して、押え部材１３を押し上げて変形させた際には、押え部材１３の下面に設けられた複数の補助突起部２８が、裏蓋５の上面に当接して、押え部材１３を補助的に押し上げる。これにより、第２緩衝部材１２を介して操作部材１８の巻真１７および支持部材２０のピン部材２１にそれぞれ対応する個所以外の個所の時計モジュール６が弾力的に押し上げられる。これにより、時計モジュール６全体がケース本体２内にガタツクことなく弾力的に保持される。
【００５５】
ところで、時計モジュール６を腕時計ケース１内から取り外す場合には、裏蓋５を腕時計ケース１の下部から取り外すことにより、時計モジュール６を腕時計ケース１内から取り外すことができる。すなわち、裏蓋５を腕時計ケース１の下部から取り外すと、腕時計ケース１の下部側が開放され、この開放された個所から押え部材１３および第２緩衝部材１２を取り出すことができる。
【００５６】
また、裏蓋５を腕時計ケース１の下部から取り外した際には、裏蓋５の押込み部２６が腕時計ケース１のケース本体２の外周面から離脱する。このため、ピン部材２１がばね部材２２のばね力によって時計モジュール６の小径孔２５内から引き出される。すなわち、ばね部材２２は、裏蓋５が腕時計ケース１に取り付けられているときに、裏蓋５の押込み部２６によって押されて圧縮されている。
【００５７】
このため、ばね部材２２は、裏蓋５が腕時計ケース１から取り外されて、押込み部２６がケース本体２の外周面から離脱すると、圧縮されたばね力、つまり圧縮による反発力によってピン部材２１を時計モジュール６の小径孔２５内から引き出す。これにより、ピン部材２１が邪魔にならず、時計モジュール６を腕時計ケース１内から容易に取り出すことができる。
【００５８】
このように、この腕時計によれば、腕時計ケース１と、この腕時計ケース１内に配置された時計モジュール６と、腕時計ケース１にその内部から外部に突出して設けられて時計モジュール６を操作する操作部材１５と、この操作部材１５の軸方向に沿う延長線上に位置し、時計モジュール６を腕時計ケース１に対して回転可能な状態で操作部材１５と共に支持する支持部材２０と、を備えていることにより、操作部材１５の操作性を損なわずに、衝撃を良好に緩衝して耐衝撃性を向上させることができる。
【００５９】
すなわち、この腕時計では、操作部材１５と支持部材２０との各軸線を一致させることができるので、腕時計ケース１が衝撃を受けた際に、操作部材１５と支持部材２０との各軸線が一致する直線を中心として、時計モジュール６を腕時計ケース１に対して上下方向に回転させることができ、これにより衝撃を効率良く緩衝することができる。このため、操作部材１５の操作性を損なわずに、衝撃を良好に緩衝して耐衝撃性を向上させることができる。
【００６０】
この場合、支持部材２０は、一端部である外端部が腕時計ケース１に配置され、他端部である内端部が時計モジュール６内に挿入されたピン部材２１を備えていることにより、ピン部材２１を操作部材１５の軸方向に沿う延長線上に位置させた状態で、腕時計ケース１と時計モジュール６との両方に跨って配置することができる。このため、簡単な構造で、時計モジュール６を腕時計ケース１に対して効率良く確実に支持することができる。
【００６１】
すなわち、ピン部材２１が腕時計ケース１と時計モジュール６との両方に跨って配置されていることにより、時計モジュール６を腕時計ケース１の上下方向に対して確実に位置規制することができると共に、時計モジュール６を腕時計ケース１の円周方向に対しても確実に位置規制することができる。
【００６２】
また、ピン部材２１は、腕時計ケース１および時計モジュール６に対して、その内外方向にスライド可能に設けられていることにより、時計モジュール６を腕時計ケース１内に組み込んだ状態で、ピン部材２１を腕時計ケース１のピン挿入孔２４に腕時計ケース１の外部から挿入させて時計モジュール６の小径孔２５に挿入させることができる。これにより、ピン部材２１の外端部を腕時計ケース１のピン挿入孔２４に配置し、ピン部材２１の内端部を時計モジュール６の小径孔２５に挿入することができる。
【００６３】
このため、ピン部材２１を簡単にかつ容易に腕時計ケース１と時計モジュール６との両方に跨って配置することができる共に、このピン部材２１を腕時計ケース１の外部に引き抜くだけで、容易にピン部材２１を取り外すことができるので、腕時計ケース１に対する時計モジュール６の取付作業および分解作業が簡単で容易にできる。
【００６４】
この場合、ピン部材２１の外周には、防水リング２３がスライド可能な状態で圧接して取り付けられていると共に、この防水リング２３が腕時計ケース１のピン挿入孔２４の大径孔部内に配置されてその内周面に弾接する構成であるから、ピン部材２１が腕時計ケース１のピン挿入孔２４内にスライド可能に取り付けられていても、腕時計ケース１の防水性を確保することができる。
【００６５】
また、この腕時計の支持部材２０によれば、ピン部材２１を時計モジュール６内から腕時計ケース１の外部に向けて引き出す方向に付勢するばね部材２２を備えているので、時計モジュール６を腕時計ケース１内に組み込む際、または腕時計ケース１内から取り出す際に、ばね部材２２のばね力によってピン部材２１を時計モジュール６内から腕時計ケース１の外部に向けて引き出すことができる。このため、ピン部材２１が邪魔にならずに、時計モジュール６を腕時計ケース１に対して容易にかつ良好に着脱することができる。
【００６６】
また、ピン部材２１を取り付ける際には、ピン部材２１を腕時計ケース１の外部から腕時計ケース１のピン挿入孔２４に挿入させてばね部材２２をピン挿入孔２４の大径孔部に配置させた状態で、ばね部材２２のばね力に抗してピン部材２１を時計モジュール６内に押し込むだけで、簡単にかつ容易にピン部材２１を腕時計ケース１と時計モジュール６との両方に跨って配置することができる。
【００６７】
さらに、支持部材２０は、腕時計ケース１の裏面に取り付けられた裏蓋５に、ピン部材２１を腕時計ケース１の内部に向けて押し込む押込み部２６が設けられていることにより、裏蓋５を腕時計ケース１の下部に配置した際に、裏蓋５の押込み部２６がピン部材２１を腕時計ケース１の内部に向けて押し込むことができる。これにより、ピン部材２１を腕時計ケース１と時計モジュール６との両方に跨った状態で、操作部材１５の軸方向に沿う延長線上に簡単にかつ容易に取り付けることができるので、ピン部材２１の取付作業を向上させることができる。
【００６８】
この場合、裏蓋５の押込み部２６は、ピン部材２１の外端面を押圧しながらガイドする押圧ガイド部２６ａと、ピン部材２１の外端面を押圧して押し込むピン押圧部２６ｂとを有しているので、裏蓋５をケース本体２に取り付ける際に、押圧ガイド部２６ａによってピン部材２１の取付片２２ａを徐々にケース本体２の内部に向けて押し込むことができると共に、ピン押圧部２６ｂによってピン部材２１の取付片２２ａをケース本体２の外周面に確実に押し付けて、ケース本体２のピン挿入孔２４を良好に塞ぐことができる。
【００６９】
また、腕時計ケース１の裏面に取り付けられた裏蓋５と腕時計ケース１内の時計モジュール６との間に配置され、時計モジュール６を押し上げる押え部材１３を備えているので、裏蓋５をケース本体２に取り付けると、この裏蓋５によって押え部材１３を押し上げることができ、これにより押し上げられた押え部材１３によって時計モジュール６を腕時計ケース１内に良好に押えることができる。
【００７０】
この場合、押え部材１３と時計モジュール６との間には、ゴムシートなどからなる第２緩衝部材１２が配置されているので、裏蓋５によって押え部材１３が押し上げられた際に、この押え部材１３が第２緩衝部材１２を時計モジュール６に弾力的に押し付けることができ、これにより時計モジュール６を腕時計ケース１内に弾力的に押えることができる。
【００７１】
また、この押え部材１３の裏面には、時計モジュール６を操作部材１５とピン部材２１とに対応する個所の時計モジュール６を押し付ける一対の押圧突起部２７が設けられていることにより、裏蓋５がケース本体２に取り付けられると、この裏蓋５の上面に一対の押圧突起部２７が当接して押え部材１３を確実に押し上げることができるので、時計モジュール６を良好に押えることができる。
【００７２】
すなわち、この押え部材１３は、裏蓋５がケース本体２に取り付けられた際に、一対の押圧突起部２７が裏蓋５の上面に当接して押え部材１３を押し上げるので、この押し上げられた押え部材１３によって第２緩衝部材１２を介して時計モジュール６を押し上げることができ、これにより操作部材１８の巻真１７および支持部材２０のピン部材２１にそれぞれ対応する個所の時計モジュール６を確実に押えることができる。
【００７３】
このため、操作部材１８の巻真１７および支持部材２０のピン部材２１にそれぞれ対応する個所の時計モジュール６を腕時計ケース１内に良好に押えることができるので、操作部材１８の巻真１７および支持部材２０のピン部材２１の各軸線の一致する直線を中心に、時計モジュール６を腕時計ケース本体２内において上下方向に揺動回転させ易くすることができる。
【００７４】
また、押え部材１３の下面には、複数の補助突起部２８が、操作部材１８の巻真１７および支持部材２０のピン部材２１にそれぞれ対応する個所以外の個所に設けられていることにより、一対の押圧突起部２７が裏蓋５の上面に当接して押え部材１３を押し上げて変形させた際に、複数の補助突起部２８を裏蓋５の上面に当接させて、押え部材１３を補助的に押し上げることができる。
【００７５】
これにより、押え部材１３は、第２緩衝部材１２を介して操作部材１８の巻真１７および支持部材２０のピン部材２１にそれぞれ対応する個所以外の個所の時計モジュール６を弾力的に押し上げることができるので、腕時計ケース１に対する時計モジュール６全体の上下方向への変動を良好に抑制することができる。
【００７６】
なお、上述した実施形態では、ピン部材２１を腕時計ケース１の外部に向けて付勢する付勢部材として、コイルばねなどのばね部材を用いた場合について述べたが、必ずしもコイルばねなどのばね部材を用いる必要はなく、例えば板ばねなどのばね部材を用いても良く、またゴムなどの弾性部材を用いても良い。
【００７７】
また、上述した実施形態では、支持部材２０のピン部材２１が腕時計ケース１のピン挿入孔２４および時計モジュール６の小径孔２５にスライド可能に設けられている場合について述べたが、これに限らず、例えば腕時計ケース１のピン挿入孔２４を通して時計モジュール６の小径孔２５に螺着するねじ部材を用いても良い。このようなねじ部材を用いれば、より一層、構造の簡素化を図ることができる。
【００７８】
さらに、上述した実施形態では、指針式の腕時計に適用した場合について述べたが、必ずしも指針式の腕時計である必要はなく、例えばトラベルウオッチ、目覚まし時計、置き時計、掛け時計などの各種の時計に適用することができる。また、必ずしも時計に限らず、モジュールを操作するスイッチ部材などの操作部材を備えた携帯電話機、携帯情報端末機などの電子機器に広く適用することができる。
【００７９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８０】
（付記）
請求項１に記載の発明は、ケースと、このケース内に配置されたモジュールと、前記ケースにその内部から外部に突出して設けられ、前記モジュールを操作する操作部材と、前記操作部材の軸方向に沿う延長線上に位置し、前記モジュールを前記ケースに対して回転可能な状態で支持する支持部材と、を備えていることを特徴とする電子機器である。
【００８１】
請求項２に記載の発明は、請求項１に記載の電子機器において、前記支持部材は、一端部が前記ケースに配置され、他端部が前記モジュール内に挿入されたピン部材を備えていることを特徴とする電子機器である。
【００８２】
請求項３に記載の発明は、請求項２に記載の電子機器において、前記ピン部材は、前記ケースおよび前記モジュールに対して、その内外方向にスライド可能に設けられていることを特徴とする電子機器である。
【００８３】
請求項４に記載の発明は、請求項１〜請求項３のいずれかに記載の電子機器において、前記支持部材は、前記モジュール内から前記ケースの外部に向けて引き出す方向に付勢する付勢部材を備えていることを特徴とする電子機器である。
【００８４】
請求項５に記載の発明は、請求項１〜請求項４のいずれかに記載の電子機器において、前記ケースの裏面に取り付けられた裏蓋を有し、前記裏蓋は、前記支持部材を前記モジュールの内部に押し込まれていない状態から前記モジュールの内部に向けて押し込む押込み部を備えていることを特徴とする電子機器である。
【００８５】
請求項６に記載の発明は、請求項１〜請求項５のいずれかに記載の電子機器において、前記ケースの裏面に取り付けられた裏蓋と前記ケース内の前記モジュールとの間に配置され、前記モジュールを押えるための押え部材を備え、前記押え部材には、前記操作部材と前記支持部材とに対応する個所の前記モジュールを押圧する押圧突起部が設けられていることを特徴とする電子機器である。
【００８６】
請求項７に記載の発明は、腕時計ケースと、この腕時計ケース内に配置された時計モジュールと、前記腕時計ケースにその内部から外部に突出して設けられ、前記時計モジュールを操作する操作部材と、前記操作部材の軸方向に沿う延長線上に位置し、前記時計モジュールを前記腕時計ケースに対して回転可能な状態で支持する支持部材と、を備えていることを特徴とする腕時計である。
【符号の説明】
【００８７】
１  腕時計ケース
２  ケース本体
３  ベゼル
５  裏蓋
６  時計モジュール
１２  第２緩衝部材
１３  押え部材
１５  操作部材
１６  筒状部材
１７  巻真  
１８  操作頭部
２０  支持部材
２１  ピン部材
２２  ばね部材
２３  防水リング
２４  ピン挿入孔
２５  小径孔
２６  押込み部
２７  一対の押圧突起部
２８  補助突起部
【図１】
2015025683.tif 000003
【図２】
2015025683.tif 000004
【図３】
2015025683.tif 000005
【図４】
2015025683.tif 000006
【図５】
2015025683.tif 000007